(57)【特許請求の範囲】
【請求項１】
地板に支持された巻真と、
前記巻真の軸方向の変位に伴って前記地板に対して回動するおしどりと、
前記おしどりに係合し、前記おしどりの回動に伴って回動する小鉄レバーと、
前記小鉄レバーに支持され、前記小鉄レバーが所定位置に位置する場合に前記巻真の回転を指針に伝達する伝達車と、
前記小鉄レバーに係合し、前記小鉄レバーの回動に伴っててんぷに接触する規正位置と前記てんぷから離間する退避位置との間を変位可能に設けられた規正レバーと、
を備えるてんぷ規正機構。
【請求項２】
前記規正レバーは、前記地板に案内される被案内部を有するとともに、前記小鉄レバーとの係合部において前記小鉄レバーに対して回転可能に設けられ、
前記被案内部は、前記規正レバーが前記てんぷに接触しつつ前記規正位置から前記退避位置に向けて変位する際に、前記地板に案内されて前記規正レバーと前記小鉄レバーとの係合部の変位方向に沿って変位する、
請求項１に記載のてんぷ規正機構。
【請求項３】
前記規正レバーは、前記地板に対して前記地板の厚さ方向で前記てんぷと同じ側に配置され、
前記小鉄レバーの少なくとも一部は、前記地板に対して前記厚さ方向で前記規正レバーとは反対側に配置されている、
請求項１または請求項２に記載のてんぷ規正機構。
【請求項４】
前記規正レバーは、前記退避位置から前記規正位置に変位する過程で、前記地板の段差に摺接して前記地板の厚さ方向に案内され、前記てんぷに前記厚さ方向から接触する、
請求項１から請求項３のいずれか１項に記載のてんぷ規正機構。
【請求項５】
請求項１から請求項４のいずれか１項に記載のてんぷ規正機構と、
前記地板と、
前記地板に回転可能に支持されたてんぷと、
を備える時計用ムーブメント。
【請求項６】
請求項５に記載の時計用ムーブメントを備える時計。
【発明の詳細な説明】
【技術分野】
【０００１】
本発明は、てんぷ規正機構、時計用ムーブメントおよび時計に関するものである。
【背景技術】
【０００２】
一般に、機械式時計には、時刻合わせを行う際に用いられる秒針規正（ストップセコンド）機構が設けられている。この秒針規正機構は、巻真をスライド移動させることにより作動する規正レバーを有している。そして、規正レバーを作動させててんぷを規正し、輪列の動きを止める（例えば、特許文献１参照）。
【先行技術文献】
【特許文献】
【０００３】
【特許文献１】中国実用新案第８７２０６２５３号明細書
【発明の概要】
【発明が解決しようとする課題】
【０００４】
ところで、てんぷの規正位置が死点位置近傍であった場合や、ひげぜんまいの巻き上げ量が少ない場合には、てんぷの規正を解除してもてんぷが再始動しない可能性がある。そのため、てんぷの規正を解除する際に、てんぷに運動を付与することにより、てんぷの作動をスムーズに再始動させることができる機構の開発が望まれる。
【０００５】
そこで本発明は、てんぷの作動をスムーズに再始動させることができるてんぷ規正機構、並びにそのてんぷ規正機構を備えた時計用ムーブメントおよび時計を提供するものである。
【課題を解決するための手段】
【０００６】
本発明のてんぷ規正機構は、地板に支持された巻真と、前記巻真の軸方向の変位に伴って前記地板に対して回動するおしどりと、前記おしどりに係合し、前記おしどりの回動に伴って回動する小鉄レバーと、前記小鉄レバーに支持され、前記小鉄レバーが所定位置に位置する場合に前記巻真の回転を指針に伝達する伝達車と、前記小鉄レバーに係合し、前記小鉄レバーの回動に伴っててんぷに接触する規正位置と前記てんぷから離間する退避位置との間を変位可能に設けられた規正レバーと、を備えることを特徴とする。
【０００７】
本発明によれば、てんぷに接触する規正レバーが小鉄レバーとは別部材として設けられる。このため、規正レバーを小鉄レバーとは異なる動きでてんぷに対して接触および離間させることが可能となる。よって、てんぷの規正を解除する際に、てんぷに運動を付与するように規正レバーを変位させることが容易となる。したがって、てんぷの作動をスムーズに再始動させることができる。
【０００８】
上記のてんぷ規正機構において、前記規正レバーは、前記地板に案内される被案内部を有するとともに、前記小鉄レバーとの係合部において前記小鉄レバーに対して回転可能に設けられ、前記被案内部は、前記規正レバーが前記てんぷに接触しつつ前記規正位置から前記退避位置に向けて変位する際に、前記地板に案内されて前記規正レバーと前記小鉄レバーとの係合部の変位方向に沿って変位してもよい。
【０００９】
本発明によれば、規正レバーがてんぷに接触した状態で、規正レバーを略平行移動させることができる。これにより、規正レバーが規正位置から退避位置に向けて変位する際に、規正レバーの変位に追随するようにてんぷを回転させて、てんぷに運動を付与することができる。したがって、てんぷの作動をスムーズに再始動させることができる。
【００１０】
上記のてんぷ規正機構において、前記規正レバーは、前記地板に対して前記地板の厚さ方向で前記てんぷと同じ側に配置され、前記小鉄レバーの少なくとも一部は、前記地板に対して前記厚さ方向で前記規正レバーとは反対側に配置されていてもよい。
【００１１】
小鉄レバーの全体が地板に対して厚さ方向で規正レバーと同じ側に配置される場合、てんぷに動力を伝達する表輪列の配置が小鉄レバーによって制限を受ける。本発明によれば、地板に対して表輪列とは反対側に小鉄レバーが配置されるので、表輪列の配置自由度の低下による時計用ムーブメントの基本性能の低下を抑制できる。
【００１２】
上記のてんぷ規正機構において、前記規正レバーは、前記退避位置から前記規正位置に変位する過程で、前記地板の段差に摺接して前記地板の厚さ方向に案内され、前記てんぷに前記厚さ方向から接触してもよい。
【００１３】
本発明によれば、規正レバーの動作時の軌跡が地板の厚さ方向から見ててんぷに重なるので、規正レバーの周囲の部品の配置自由度の向上を図ることができる。また、規正レバーを地板の段差によって地板の厚さ方向に案内するので、新たな別部品を設けることなく規正レバーを地板の厚さ方向に変位させることが可能な構造が得られる。
【００１４】
本発明の時計用ムーブメントは、上記のてんぷ規正機構と、前記地板と、前記地板に回転可能に支持されたてんぷと、を備えることを特徴とする。
本発明の時計は、上記の時計用ムーブメントを備えることを特徴とする。
【００１５】
本発明によれば、てんぷの作動をスムーズに再始動させることができる時計用ムーブメントおよび時計を提供できる。
【発明の効果】
【００１６】
本発明によれば、てんぷの作動をスムーズに再始動させることができるてんぷ規正機構、時計用ムーブメントおよび時計を提供できる。
【図面の簡単な説明】
【００１７】
【図１】第１実施形態に係る時計を示す平面図である。
【図２】第１実施形態に係るムーブメントを表側から見た平面図である。
【図３】第１実施形態に係るムーブメントを裏側から見た平面図である。
【図４】第１実施形態に係るてんぷ規正機構を裏側から見た斜視図である。
【図５】第１実施形態に係るてんぷ規正機構を表側から見た斜視図である。
【図６】第１実施形態に係るムーブメントの一部を表側から見た斜視図である。
【図７】第１実施形態に係るてんぷ規正機構の動作説明図である。
【図８】第１実施形態に係るてんぷ規正機構の動作説明図である。
【図９】第１実施形態に係るてんぷ規正機構の動作説明図である。
【図１０】第１実施形態に係るてんぷ規正機構の動作説明図である。
【図１１】第２実施形態に係るてんぷ規正機構を表側から見た斜視図である。
【図１２】図１１のＸＩＩ−ＸＩＩ線における断面の一部を示す図である。
【図１３】第２実施形態に係るてんぷ規正機構の動作説明図である。
【図１４】第２実施形態に係るてんぷ規正機構の動作説明図である。
【図１５】第２実施形態に係るてんぷ規正機構の動作説明図である。
【発明を実施するための形態】
【００１８】
以下、本発明に係る実施形態について図面を参照して説明する。なお、以下の実施形態では、時計の一例として機械式時計を例に挙げて説明する。
【００１９】
一般に、時計の駆動部分を含む機械体を「ムーブメント」と称する。このムーブメントに文字板、指針を取り付けて、時計ケースの中に入れて完成品にした状態を時計の「コンプリート」と称する。時計の基板を構成する地板に対する厚さ方向の両側のうち、時計ケースのガラスのある方の側（すなわち、文字板のある方の側）をムーブメントの「裏側」と称する。また、地板の両側のうち、時計ケースのケース裏蓋のある方の側（すなわち、文字板と反対の側）をムーブメントの「表側」と称する。なお、実施形態では、文字板からケース裏蓋に向かう方向を上方、その反対側を下方と定義して説明する。
【００２０】
［第１実施形態］
図１は、第１実施形態に係る時計を示す平面図である。
図１に示すように、本実施形態の時計１のコンプリートは、図示しないケース裏蓋およびガラス２からなる時計ケース内に、ムーブメント（時計用ムーブメント）１０と、少なくとも時に関する情報を示す目盛りを有する文字板３と、時針５、分針６および秒針７を含む指針と、を備える。文字板３には、後述する日車４０に表示された日文字４０ａを明示させる日窓３ａが形成されている。
【００２１】
図２は、第１実施形態に係るムーブメントを表側から見た平面図である。なお図２では、図面を見易くするためにムーブメント１０を構成する一部の部品の図示を省略している。
図２に示すように、ムーブメント１０は基板を構成する地板１１を有している。地板１１には、巻真５１が組み込まれている。巻真５１は、地板１１に形成された巻真案内穴に軸線Ｌ回りに回転可能、かつ軸線Ｌの軸方向（以下、軸線Ｌ方向と称する）に変位可能に支持されている。巻真５１には、図１に示す時計ケースの外側でりゅうず４が連結されている。ムーブメント１０は、地板１１の表側に、表輪列１２と、脱進調速機１３と、を備える。
【００２２】
表輪列１２は、脱進調速機１３にトルクを伝達する。表輪列１２は、主に一対の香箱アセンブリ２０Ａ，２０Ｂ、遊び歯車２１、二番車２２、三番車２３、四番車２４、およびがんぎ中間車２５を備える。一対の香箱アセンブリ２０Ａ，２０Ｂは、地板１１の厚さ方向から見た平面視で互いに並んで配置されている。各香箱アセンブリ２０Ａ，２０Ｂは、地板１１と図示しない香箱受との間に軸支されている。各香箱アセンブリ２０Ａ，２０Ｂは、内部にぜんまいを収容する香箱車２０ａと、香箱車２０ａと同軸かつ相対回転可能に配置された角穴車２０ｂと、を備える。ぜんまいの外端部は香箱車２０ａに固定され、ぜんまいの内端部は角穴車２０ｂに固定されている。これにより、ぜんまいの巻き解けに伴うトルクによって香箱車２０ａおよび角穴車２０ｂが相対回転するとともに、香箱車２０ａおよび角穴車２０ｂを所定の方向に相対回転させることでぜんまいが巻き上げられる。
【００２３】
一方の香箱アセンブリ２０Ａの角穴車２０ｂは、角穴中間車２７と噛み合っている。角穴中間車２７は、手動巻輪列１４の一部を構成している。手動巻輪列１４は、巻真５１の回転を一方の香箱アセンブリ２０Ａの角穴車２０ｂに伝達する。これにより、一方の香箱アセンブリ２０Ａの角穴車２０ｂは、巻真５１の回転によって回転し、一方の香箱アセンブリ２０Ａのぜんまいを巻き上げる。一方の香箱アセンブリ２０Ａの香箱車２０ａの歯部は、他方の香箱アセンブリ２０Ｂの香箱車２０ａの歯部と噛み合っている。他方の香箱アセンブリ２０Ｂの香箱車２０ａは、一方の香箱アセンブリ２０Ａのぜんまいの巻き解けに伴うトルクによって回転し、他方の香箱アセンブリ２０Ｂのぜんまいを巻き上げる。そして、他方の香箱アセンブリ２０Ｂの角穴車２０ｂは、他方の香箱アセンブリ２０Ｂのぜんまいの巻き解けに伴って回転する。
【００２４】
遊び歯車２１、二番車２２、三番車２３、四番車２４およびがんぎ中間車２５は、地板１１と図示しない輪列受との間に軸支されている。これら遊び歯車２１、二番車２２、三番車２３、四番車２４およびがんぎ中間車２５は、他方の香箱アセンブリ２０Ｂの角穴車２０ｂが巻き上げられたぜんまいの弾性復元力によって回転すると、この回転に基づいて回転する。
【００２５】
すなわち、遊び歯車２１は他方の香箱アセンブリ２０Ｂの角穴車２０ｂと噛み合っており、角穴車２０ｂの回転に基づいて回転する。二番車２２は、遊び歯車２１と噛み合っており、遊び歯車２１の回転に基づいて回転する。三番車２３は、二番車２２と噛み合っており、二番車２２の回転に基づいて回転する。四番車２４は、三番車２３と噛み合っており、三番車２３の回転に基づいて回転する。四番車２４の回転軸線は、巻真５１の軸線Ｌに直交している。四番車２４には、図１に示す秒針７が取り付けられており、四番車２４の回転に基づいて秒針７が「秒」を表示する。秒針７は、脱進調速機１３によって調速された回転速度で１分間に１回転する。がんぎ中間車２５は、四番車２４と噛み合っており、四番車２４の回転に基づいて回転する。がんぎ中間車２５は、後述するがんぎ車のがんぎかな（不図示）と噛み合っている。
【００２６】
脱進調速機１３は、表輪列１２の回転を制御する。脱進調速機１３は、図示しないがんぎ車およびアンクルと、てんぷ３２と、を主に備える。がんぎ車は、香箱アセンブリ２０Ａ，２０Ｂのぜんまいから表輪列１２を介して伝達されるトルクによって回転する。アンクルは、がんぎ車を脱進させて規則正しく回転させる。てんぷ３２は、がんぎ車を一定速度で脱進させる。
【００２７】
てんぷ３２は、てん真（不図示）、てん輪３３およびひげぜんまい３４を備える。てん真は、地板１１とてんぷ受（不図示）との間に回転可能に軸支されている。てん真は、ひげぜんまい３４を動力源として、第１軸線Ｏ１を中心として一定の周期で往復回転する。てん輪３３は、てん真に同軸で固定されている。てん輪３３は、てん真を径方向の外側から囲む円環状のリム部３３ａと、リム部３３ａとてん真とを径方向に連結するアーム３３ｂと、を備える。リム部３３ａは、第１軸線Ｏ１と同軸に配置されている。アーム３３ｂは、第１軸線Ｏ１を中心として９０°の間隔をあけて４つ設けられている。なお、てん輪３３の形状は、図示の例に限定されるものではなく、自由に変更して構わない。てんぷ３２の全体は、平面視で軸線Ｌに対する一方側に配置されている。
【００２８】
図３は、第１実施形態に係るムーブメントを裏側から見た平面図である。なお図３では、図面を見易くするためにムーブメント１０を構成する一部の部品の図示を省略しているとともに、日車４０については一部のみを図示している。
図３に示すように、ムーブメント１０は、地板１１の裏側に、裏輪列１５と、カレンダ機構１６と、時刻修正輪列１７と、カレンダ修正機構１８と、を備える。
【００２９】
裏輪列１５は、主に分車３６、日の裏車３７および筒車３８を備える。分車３６は、四番車２４（図２参照）と同軸に配置されている。分車３６は、三番車２３（図２参照）と噛み合っており、三番車２３の回転に基づいて回転する。分車３６には、図１に示す分針６が取り付けられており、分車３６の回転によって分針６が「分」を表示する。分針６は、脱進調速機１３によって調速された回転速度で１時間に１回転する。日の裏車３７は、分車３６と噛み合っており、分車３６の回転に基づいて回転する。筒車３８は、分車３６と同軸に配置されている。筒車３８は、日の裏車３７と噛み合っており、日の裏車３７の回転に基づいて回転する。筒車３８には、図１に示す時針５が取り付けられており、筒車３８の回転によって時針５が「時」を表示する。時針５は、脱進調速機１３によって調速された回転速度で１２時間に１回転する。
【００３０】
カレンダ機構１６は、日車４０、第１日回し中間車４１、第２日回し中間車４２および日回し車４３を備える。日車４０は、地板１１に対して回転自在に取り付けられたリング状部材である。日車４０には、周方向に沿って１〜３１の日を表す日文字４０ａ（図１参照）が順番に表示されている。日車４０の内周面には、複数の歯部が形成されている。複数の歯部は、径方向の内側に突出するとともに周方向に間隔をあけて形成されている。
【００３１】
第１日回し中間車４１、第２日回し中間車４２および日回し車４３は、地板１１に回転可能に支持されている。第１日回し中間車４１は、筒車３８と噛み合っており、筒車３８の回転に基づいて回転する。第２日回し中間車４２は、第１日回し中間車４１と噛み合っており、第１日回し中間車４１の回転に基づいて回転する。日回し車４３は、日回し歯車４３ａおよび日回しつめ４３ｂを備える。日回し歯車４３ａは、第２日回し中間車４２と噛み合っており、第２日回し中間車４２の回転に基づいて２４時間に１回転する。日回しつめ４３ｂは、日回し歯車４３ａを動力源として、日回し歯車４３ａの回転中心回りを２４時間に１回転する。日回しつめ４３ａは、１回転する毎に１度、日車４０の歯部に係合して日車４０を１歯分だけ回転させる。これにより、カレンダ機構１６は、日車４０を間欠的に回転させる。
【００３２】
時刻修正輪列１７は、時刻修正時に、巻真５１の回転を時針５および分針６に伝達する。時刻修正輪列１７は、小鉄車４５、日の裏中間車４６および時刻修正伝え車４７を備える。小鉄車４５は、後述するつづみ車５２（図４参照）と噛み合うように設けられている。日の裏中間車４６は、後述する小鉄レバー９０に回転可能に支持されている。日の裏中間車４６は、日の裏中間第１歯車４６ａ（図５参照）および日の裏中間第２歯車４６ｂを有する。日の裏中間第１歯車４６ａおよび日の裏中間第２歯車４６ｂは、一体回転する。日の裏中間第１歯車４６ａは、小鉄車４５と常時噛み合っている。これにより、日の裏中間第１歯車４６ａおよび日の裏中間第２歯車４６ｂは、小鉄車４５の回転に基づいて回転する。時刻修正伝え車４７は、日の裏中間第２歯車４６ｂと常時噛み合っており、日の裏中間車４６の回転に基づいて回転する。時刻修正伝え車４７は、日の裏車３７と噛み合うように設けられている。
【００３３】
カレンダ修正機構１８は、日付を修正する際に、巻真５１の回転を日車４０に伝達する。カレンダ修正機構１８は、上述した小鉄車４５および日の裏中間車４６に加えて、第１日修正伝え車４８および第２日修正伝え車４９を備える。第１日修正伝え車４８は、日の裏中間第１歯車４６ａと噛み合うように設けられている。第１日修正伝え車４８は、日の裏中間第１歯車４６ａと噛み合うことで、日の裏中間車４６の回転に基づいて回転する。第２日修正伝え車４９は、第１日修正伝え車４８と噛み合っており、第１日修正伝え車４８に基づいて回転する。第２日修正伝え車４９は、第１日修正伝え車４８の回転に伴って第１日修正伝え車４８の回転中心回りを揺動するレバー（不図示）に支持されている。第２日修正伝え車４９は、第１日修正伝え車４８の所定方向の回転に伴って日車４０に接近するように変位し、日車４０の歯部に噛み合う。これにより、カレンダ修正機構１８は、日車４０を回転させる。
【００３４】
図２および図３に示すように、ムーブメント１０は、てんぷ規正機構１９をさらに備える。てんぷ規正機構１９は、切換機構５０と、てんぷ規正レバー１００と、を備える。
【００３５】
図４は、第１実施形態に係るてんぷ規正機構を裏側から見た斜視図である。図５は、第１実施形態に係るてんぷ規正機構を表側から見た斜視図である。なお、図４では、図面を見易くするためにかんぬき押さえ８０を仮想線で示している。また、図５では、図面を見易くするためにてんぷ規正レバー押さえ１１０を仮想線で示している。
図３および図４に示すように、切換機構５０は、巻真５１のトルクの伝達経路を切り替える。切換機構５０は、巻真５１と、つづみ車５２と、おしどり６０と、かんぬき７０と、かんぬき押さえ８０と、小鉄レバー９０と、を備える。
【００３６】
上述したように、巻真５１は、りゅうず４（図１参照）の引き出し操作に伴って、地板１１に対して軸線Ｌ方向に変位可能に設けられている。本実施形態では、巻真５１は、ムーブメント１０の内側に最も入り込んだ０段位置、０段位置からりゅうず４を１段引いた１段位置、１段位置からさらにりゅうず４を１段引いた２段位置の３つの位置で位置決めされる。巻真５１には、おしどり６０と係合する括れ部５１ａが形成されている。なお、以下の説明は、特に記載のない限り巻真５１が０段位置に位置決めされた状態を前提とする。
【００３７】
巻真５１には、きち車５３が設けられている。きち車５３は、括れ部５１ａよりもムーブメント１０の中心側の箇所に設けられている。なお、本実施形態においてムーブメント１０の中心とは、指針の回転中心であって、四番車２４、分車３６および筒車３８の回転軸線である。きち車５３は、巻真５１に対して回転可能、かつ巻真５１に対して軸線Ｌ方向に変位不能に設けられている。きち車５３には、手動巻輪列１４に含まれる丸穴車２８（図２参照）が噛み合っている。
【００３８】
つづみ車５２は、巻真５１に外挿され、軸線Ｌと同軸に配置されている。つづみ車５２は、きち車５３よりもムーブメント１０の中心側に配置されている。つづみ車５２は、巻真５１と一体回転可能、かつ巻真５１に対して軸線Ｌ方向に変位可能に設けられている。つづみ車５２は、巻真５１に対して軸線Ｌ方向に変位することで、きち車５３に対してムーブメント１０の内側から外側に向かう方向に噛み合う状態と、小鉄車４５に対してムーブメント１０の外側から内側に向かう方向に噛み合う状態と、を相互に移行可能に構成されている。
【００３９】
おしどり６０は、地板１１に対して第２軸線Ｏ２を中心として回動可能に設けられている。おしどり６０は、回動軸であるおしどり軸６１と、おしどり軸６１に支持されたおしどり本体６２と、を備える。おしどり軸６１は、平面視で軸線Ｌに対しててんぷ３２（図２参照）と同じ側に配置されている。おしどり軸６１は、地板１１を貫通するように配置されている。
【００４０】
おしどり本体６２は、地板１１に対して地板１１の厚さ方向でてんぷ３２とは反対側（裏側）に配置されている。おしどり本体６２は、薄板状に形成され、地板１１の面方向に沿って延びている。おしどり本体６２は、おしどり軸６１との接続部から延びる頭部６３および尾部６４を備える。頭部６３は、長円形状に形成されている。頭部６３は、平面視で軸線Ｌと重なるように配置されている。頭部６３は、巻真５１の括れ部５１ａに配置されている。これにより、おしどり６０は、巻真５１に対して軸線Ｌ方向に係合し、りゅうず４の引き出し操作に伴う巻真５１の変位に伴って回動する。以下、おしどり６０の回動方向のうち、巻真５１が０段位置から２段位置に向けて変位する際の回動方向を第１回動方向Ｍ１といい、その反対に巻真５１が２段位置から０段位置に向けて変位する際の回動方向を第２回動方向Ｍ２という。尾部６４は、おしどり軸６１との接続部から頭部６３とは反対側に延出している。尾部６４には、係合凸部６５が形成されている。係合凸部６５は、尾部６４における延在方向の中間部に設けられている。係合凸部６５は、平面視で軸線Ｌ側に向けて、第１回動方向Ｍ１に突出している。係合凸部６５は、おしどり６０が第１回動方向Ｍ１に回動する際に、平面視で軸線Ｌに接近するように形成されている。
【００４１】
おしどり６０は、おしどりピン６６および小鉄レバー作動ピン６７を備える。おしどりピン６６は、尾部６４における係合凸部６５の近傍に配置されている。おしどりピン６６は、尾部６４から地板１１とは反対側（裏側）に向けて突出している。小鉄レバー作動ピン６７は、尾部６４における先端部近傍に配置されている。小鉄レバー作動ピン６７は、尾部６４から地板１１側（表側）に向けて突出している。小鉄レバー作動ピン６７は、小鉄レバー９０に係合している。
【００４２】
かんぬき７０は、地板１１に対して第３軸線Ｏ３を中心として回動可能に設けられている。第３軸線Ｏ３は、平面視で軸線Ｌを挟んで第２軸線Ｏ２とは反対側に配置されている。かんぬき７０は、地板１１に突設された支軸に回動可能に支持されたかんぬき本体７１と、かんぬき本体７１に固定されたかんぬきピン７２と、を備える。かんぬき本体７１は、地板１１に対しておしどり本体６２と同じ側に配置されている。かんぬき本体７１は、薄板状に形成され、おしどり本体６２と同一平面に沿って延びている。かんぬき本体７１は、平面視でおしどり本体６２と並んで配置されている。
【００４３】
かんぬき本体７１は、地板１１の支軸との接続部から延びる頭部７３を備える。頭部７３は、平面視で巻真５１を跨ぐように延びている。頭部７３の先端は、おしどり６０の係合凸部６５に第１回動方向Ｍ１から対向している。頭部７３は、おしどり６０の係合凸部６５が第１回動方向Ｍ１に変位したときに、係合凸部６５に押圧されてムーブメント１０の中心側に向けて回動する。これにより、かんぬき７０は、おしどり６０の回動に伴って回動する。すなわち、かんぬき７０は、りゅうず４の引き出し操作に伴う巻真５１の変位に伴って回動する。より詳細には、かんぬき７０は、巻真の０段位置と１段位置との間での変位の際に回動する。かんぬきピン７２は、かんぬき本体７１から地板１１とは反対側に向けて突出している。かんぬきピン７２には、後述するかんぬき戻しばね８３が接触している。
【００４４】
ここで、かんぬき本体７１の頭部７３における先端と基端との中間部は、つづみ車５２の括れ部に配置されている。これにより、かんぬき７０は、つづみ車５２に対して軸線Ｌ方向に係合している。かんぬき７０は、頭部７３がおしどり６０の係合凸部６５に押圧された際に、つづみ車５２をきち車５３から離間させる方向に変位させる。かんぬき７０は、巻真５１が０段位置に位置するとき、つづみ車５２をきち車５３に噛合させる。かんぬき７０は、巻真が１段位置から２段位置にわたる領域に位置するとき、つづみ車５２を小鉄車４５に噛合させる。
【００４５】
かんぬき押さえ８０は、おしどり６０およびかんぬき７０を地板１１側に向かって押さえている。かんぬき押さえ８０は、薄板状に形成され、地板１１の面方向に沿って延びている。かんぬき押さえ８０は、地板１１に固定された基部８１と、基部８１から延びる４つのアーム８２Ａ，８２Ｂ，８２Ｃ，８２Ｄと、基部８１から延びるかんぬき戻しばね８３と、を備える。基部８１は、かんぬき本体７１を挟んで地板１１とは反対側に配置されている。基部８１は、平面視で軸線Ｌに対しておしどり本体６２とは反対側に配置されている。基部８１は、平面視でかんぬき本体７１における地板１１の支軸との接続部に重なっている。基部８１は、かんぬきピン７２よりもムーブメント１０の中心側に配置されている。基部８１は、地板１１に２個のネジによって締結されている。４つのアーム８２Ａ，８２Ｂ，８２Ｃ，８２Ｄは、それぞれ平面視で基部８１から軸線Ｌ側に延びている。
【００４６】
第１アーム８２Ａは、平面視で軸線Ｌを跨ぎ、おしどり６０の頭部６３に重なっている。第１アーム８２Ａは、おしどり本体６２におけるおしどり軸６１との接続部近傍を地板１１側に付勢している。第２アーム８２Ｂは、平面視で第１アーム８２Ａに対するムーブメント１０の中心側で、基部８１から第１アーム８２Ａに対して間隔をあけて延びている。第２アーム８２Ｂは、きち車５３にムーブメント１０の中心側から対向している。これにより、第２アーム８２Ｂは、ムーブメント１０の中心側へのきち車５３の変位を規制している。
【００４７】
第３アーム８２Ｃは、平面視で第２アーム８２Ｂに対するムーブメント１０の中心側で、基部８１から第２アーム８２Ｂに対して間隔をあけて延びている。第３アーム８２Ｃは、平面視で軸線Ｌを跨いでいる。第３アーム８２Ｃは、平面視でかんぬき７０の頭部７３、およびおしどり６０の頭部６３に重なっている。第３アーム８２Ｃは、地板１１の面方向に撓み変形可能に形成されている。第３アーム８２Ｃの先端は、おしどりピン６６に第１回動方向Ｍ１から対向して接触している。これにより、第３アーム８２Ｃは、りゅうず４の引き出し操作に伴うおしどり６０の移動方向とは反対方向に、おしどり６０を付勢している。第３アーム８２Ｃの先端におけるおしどりピン６６に対向する側面には、３つの係合凹部８４ａ，８４ｂ，８４ｃが並んで形成されている（図７参照）。３つの係合凹部８４ａ，８４ｂ，８４ｃは、第１係合凹部８４ａ、第２係合凹部８４ｂ、第３係合凹部８４ｃの順に、第３アーム８２Ｃの先端から基部に向かう方向に並んでいる。これら係合凹部８４ａ，８４ｂ，８４ｃには、おしどりピン６６が係合する。第１係合凹部８４ａと第２係合凹部８４ｂとの間には、滑らかな第１係合山部８５ａ（図７参照）が形成されている。第２係合凹部８４ｂと第３係合凹部８４ｃとの間には、滑らかな第２係合山部８５ｂ（図７参照）が形成されている。
【００４８】
第４アーム８２Ｄは、平面視で第３アーム８２Ｃに対するムーブメント１０の中心側で、基部８１から第３アーム８２Ｃに対して間隔をあけて延びている。第４アーム８２Ｄは、平面視で軸線Ｌを跨いでいる。第４アーム８２Ｄは、平面視でおしどり６０の頭部６３に重なっている。第４アーム８２Ｄの先端には、地板１１に突設されたピンが挿通される貫通孔が形成されている。これにより、第４アーム８２Ｄの先端は、地板１１の面方向に位置決めされている。
【００４９】
かんぬき戻しばね８３は、基部８１からおおよそ一定の幅で延びている。かんぬき戻しばね８３は、平面視で先端が基部８１とかんぬきピン７２との間に位置するように基部８１から延びている。かんぬき戻しばね８３の先端は、かんぬきピン７２にムーブメント１０の中心側から接触している。かんぬき戻しばね８３は、かんぬき７０の頭部７３がおしどり本体６２の係合凸部６５に接近する方向にかんぬき７０を付勢している。
【００５０】
小鉄レバー９０は、地板１１に対しておしどり６０と同じ側に配置されている。小鉄レバー９０は、地板１１に対して第４軸線Ｏ４を中心として回動可能に設けられている。第４軸線Ｏ４は、四番車２４の回転軸線よりもムーブメント１０の外側寄りで軸線Ｌに直交している。小鉄レバー９０は、おしどり６０の回動に伴って回動する。小鉄レバー９０は、地板１１に突設された支軸に支持されたレバー軸９１と、レバー軸９１に支持されたレバー本体９２と、を備える。レバー軸９１は、円筒状に形成され、地板１１の支軸に相対回転可能に外挿されている。レバー軸９１の外周面には、径方向外側に張り出すフランジ９１ａが形成されている。レバー本体９２は、薄板状に形成されている。レバー本体９２は、レバー軸９１に支持された回動部９３と、おしどり６０に係合した係合部９４と、回動部９３と係合部９４とを連結した連結部９５と、を備える。
【００５１】
回動部９３は、地板１１の面方向に沿って延びている。回動部９３は、平面視でかんぬき押さえ８０の第４アーム８２Ｄに対してムーブメント１０の中心側に配置され、第４アーム８２Ｄと同一平面上に並んでいる。回動部９３には、レバー軸９１が挿通される貫通孔が形成されている。回動部９３は、レバー軸９１のフランジ９１ａに地板１１側から重なっている。係合部９４は、回動部９３よりもムーブメント１０の外側寄りに配置されている。係合部９４は、回動部９３よりも地板１１側で、地板１１の面方向に沿って延びている。係合部９４は、おしどり本体６２よりも地板１１側に配置されている。係合部９４は、平面視でおしどり本体６２に重なっている。係合部９４は、平面視で軸線Ｌに対しておしどり本体６２と同じ側に配置されている。連結部９５は、回動部９３から係合部９４に向けて平面視で略一定の幅で延びている。連結部９５は、平面視でかんぬき押さえ８０の第４アーム８２Ｄに交差している。連結部９５は、回動部９３から回動部９３と平行に延びた後、第４アーム８２Ｄを避けるように地板１１側に屈曲し、係合部９４と平行に延びて係合部９４に接続している。以下、小鉄レバー９０の回動方向のうち、平面視で係合部９４が軸線Ｌから離間する方向を第３回動方向Ｍ３といい、その反対方向を第４回動方向Ｍ４という。
【００５２】
係合部９４には、おしどり６０の小鉄レバー作動ピン６７が挿入されたおしどり係合窓９６が形成されている。おしどり係合窓９６は、小鉄レバー作動ピン６７を案内可能とするように、小鉄レバー作動ピン６７の外径よりも大きい略一定の幅で延びている。おしどり係合窓９６は、巻真５１が０段位置と１段位置との間を変位する際に小鉄レバー作動ピン６７が通過する第１延在部９６ａと、巻真５１が１段位置と２段位置との間を変位する際に小鉄レバー作動ピン６７が通過する第２延在部９６ｂおよび第３延在部９６ｃと、を備える。第１延在部９６ａは、平面視で第１回動方向Ｍ１および第２回動方向Ｍ２に平行な方向（すなわち第２軸線Ｏ２回りの周方向）に沿って円弧状に延びている。第２延在部９６ｂは、第１延在部９６ａにおける第１回動方向Ｍ１の端部に連なっている。第２延在部９６ｂは、第１延在部９６ａから第１回動方向Ｍ１かつ第４回動方向Ｍ４に延びている。第３延在部９６ｃは、第２延在部９６ｂにおける第１回動方向Ｍ１の端部に連なっている。第３延在部９６ｃは、第２延在部９６ｂから第１回動方向Ｍ１に沿って円弧状に延びている。
【００５３】
小鉄レバー９０は、小鉄車４５、日の裏中間車４６および時刻修正伝え車４７を支持している。小鉄車４５は、レバー軸９１に回転可能に支持されている。このため、小鉄車４５の回転軸線は、第４軸線Ｏ４に一致している。小鉄車４５は、レバー本体９２の回動部９３と地板１１との間に配置されている。日の裏中間車４６は、回動部９３に回転可能に支持されている。日の裏中間第１歯車４６ａは、地板１１の厚さ方向で回動部９３に対する小鉄車４５側に配置されている。日の裏中間第２歯車４６ｂは、地板１１の厚さ方向で回動部９３を挟んで日の裏中間第１歯車４６ａとは反対側に配置されている。日の裏中間第１歯車４６ａおよび日の裏中間第２歯車４６ｂは、回動部９３を貫通する回動軸を介して互いに連結され、一体回転する。時刻修正伝え車４７は、回動部９３に回転可能に支持されている。時刻修正伝え車４７は、地板１１の厚さ方向で回動部９３に対する日の裏中間第２歯車４６ｂ側に配置されている。
【００５４】
図６は、第１実施形態に係るムーブメントの一部を表側から見た斜視図である。なお、図６では、図面を見易くするためにてんぷ規正レバー押さえ１１０の図示を省略しているとともに、てんぷ規正レバー１００のレバー基部１０１およびばね体１０２を仮想線で示している。
図４および図６に示すように、小鉄レバー９０は、てんぷ規正レバー作動ピン９７を備える。てんぷ規正レバー作動ピン９７は、係合部９４に配置されている。てんぷ規正レバー作動ピン９７は、係合部９４から地板１１側に向けて突出している。てんぷ規正レバー作動ピン９７は、地板１１に形成された貫通孔１１ａに挿通され、地板１１の裏側から表側に貫通している。地板１１の貫通孔１１ａは、小鉄レバー９０の回動に伴って変位するてんぷ規正レバー作動ピン９７を避けるように形成されている。てんぷ規正レバー作動ピン９７は、地板１１の表側でてんぷ規正レバー１００に係合している。
【００５５】
図４および図５に示すように、てんぷ規正レバー１００は、地板１１に対して地板１１の厚さ方向でてんぷ３２と同じ側（表側）に配置されている。てんぷ規正レバー１００は、平面視で小鉄レバー９０のレバー本体９２に重なるように配置されている。てんぷ規正レバー１００は、小鉄レバー９０の回動に伴って変位する。てんぷ規正レバー１００は、レバー基部１０１と、レバー基部１０１に基端が接続されたばね体１０２と、を備える。レバー基部１０１は、薄板状に形成され、地板１１の面方向に沿って延びている。レバー基部１０１には、小鉄レバー９０のてんぷ規正レバー作動ピン９７が挿入される貫通孔が形成されている。レバー基部１０１は、てんぷ規正レバー作動ピン９７が貫通孔に挿入されることで、小鉄レバー９０と係合している。レバー基部１０１は、てんぷ規正レバー作動ピン９７に対して回転可能とされている。本実施形態では、てんぷ規正レバー作動ピン９７は、レバー基部１０１から地板１１とは反対側に僅かに突出している。
【００５６】
ばね体１０２は、薄板状に形成されている。ばね体１０２は、両主面が地板１１の面方向に向くように配置され、地板１１の面方向に撓み可能に形成されている。本実施形態では、ばね体１０２は、レバー基部１０１に屈曲部１０３を介して接続し、レバー基部１０１と一体成形されている。ばね体１０２は、レバー基部１０１との接続部から第３回動方向Ｍ３に沿って延びている。ばね体１０２は、平面視で直線状に延びている。ばね体１０２は、平面視でてんぷ３２と第４軸線Ｏ４との間で、地板１１の面方向から見ててんぷ３２のてん輪３３のリム部３３ａ（図２参照）に重なるように配置されている。
【００５７】
てんぷ規正レバー１００は、てんぷ規正レバー案内ピン１０４（被案内部）を備える。てんぷ規正レバー案内ピン１０４は、第４軸線Ｏ４を中心とする径方向において、小鉄レバー９０のてんぷ規正レバー作動ピン９７よりも外側に配置されている。てんぷ規正レバー案内ピン１０４は、てんぷ規正レバー作動ピン９７よりも第３回動方向Ｍ３に配置されている。てんぷ規正レバー案内ピン１０４は、レバー基部１０１から地板１１側に向けて突出している。本実施形態では、てんぷ規正レバー案内ピン１０４は、レバー基部１０１に形成された貫通孔に挿入され、レバー基部１０１から地板１１とは反対側にも僅かに突出している。
【００５８】
図６に示すように、地板１１には、てんぷ規正レバー案内ピン１０４が挿入された規正レバー案内窓１１ｂが形成されている。規正レバー案内窓１１ｂは、てんぷ規正レバー案内ピン１０４を案内可能とするように、てんぷ規正レバー案内ピン１０４の外径よりも大きい略一定の幅で延びている。規正レバー案内窓１１ｂは、第４回動方向Ｍ４の端部から第３回動方向Ｍ３に向かうに従い第４軸線Ｏ４を中心とする径方向の外側に延びた後、第３回動方向Ｍ３に沿って延びている。
【００５９】
図４および図５に示すように、てんぷ規正レバー１００は、地板１１に固定されたてんぷ規正レバー押さえ１１０によって、地板１１側に抑えられている。てんぷ規正レバー押さえ１１０は、薄板状に形成され、地板１１の面方向に沿って延びている。てんぷ規正レバー押さえ１１０は、てんぷ規正レバー１００のばね体１０２を避けるように配置され、平面視でレバー基部１０１に重なっている。てんぷ規正レバー押さえ１１０には、てんぷ規正レバー作動ピン９７を避ける第１逃げ窓１１１と、てんぷ規正レバー案内ピン１０４を避ける第２逃げ窓１１２と、が形成されている。第１逃げ窓１１１は、平面視で地板１１の貫通孔１１ａ（図６参照）の形状におおよそ一致する形状に形成されている。第２逃げ窓１１２は、平面視で地板１１の規正レバー案内窓１１ｂ（図６参照）の形状におおよそ一致する形状に形成されている。
【００６０】
次に切換機構５０の動作について、図７から図１０を参照して説明する。
図７から図１０は、第１実施形態に係るてんぷ規正機構の動作説明図である。
図７に示すように、巻真５１が０段位置に位置する状態では、おしどり６０のおしどりピン６６は、かんぬき押さえ８０の第３アーム８２Ｃの第１係合凹部８４ａに入り込んでいる。これにより、巻真５１は、０段位置に位置決めされている。かんぬき７０の頭部７３は、つづみ車５２がきち車５３に噛み合うようにつづみ車５２を保持している。このため、０段位置にある巻真５１を回転させると、つづみ車５２が巻真５１と一体回転し、さらにつづみ車５２を介してきち車５３が回転する。そして、きち車５３が回転することにより、きち車５３と噛み合う丸穴車２８が回転し、手動巻輪列１４を介して香箱アセンブリ２０Ａの角穴車２０ｂが回転する（図２参照）。これにより、香箱アセンブリ２０Ａ，２０Ｂのぜんまいが巻き上げられる。なお、日の裏中間第１歯車４６ａは、第１日修正伝え車４８と噛み合っている。また、おしどり６０の小鉄レバー作動ピン６７は、小鉄レバー９０のおしどり係合窓９６の第１延在部９６ａにおける第２回動方向Ｍ２の端部に位置している。
【００６１】
巻真５１が０段位置から１段位置に変位する際、おしどり６０は、第１回動方向Ｍ１に回動する。すると、図８に示すように、おしどりピン６６は、かんぬき押さえ８０の第３アーム８２Ｃの第１係合凹部８４ａから第１係合山部８５ａを乗り越えて第２係合凹部８４ｂに入り込む。この際、おしどり６０にはかんぬき押さえ８０の第３アーム８２Ｃの復元力が作用して、使用者が巻真５１を引き出す際のクリック感が発生する。おしどり６０が第１回動方向Ｍ１に回動すると、かんぬき７０の頭部７３は、かんぬきピン７２に作用するかんぬき戻しばね８３の付勢力に抗しつつ、おしどり６０の係合凸部６５に押圧されてムーブメント１０の中心側に向けて回動する。これにより、かんぬき７０の頭部７３に保持されたつづみ車５２は、きち車５３から離間し、小鉄車４５と噛み合う。かんぬき７０の頭部７３は、巻真５１が１段位置に到達すると、おしどり６０の係合凸部６５の回動軌跡からムーブメント１０の中心側に退避する。
【００６２】
また、おしどり６０が第１回動方向Ｍ１に回動すると、小鉄レバー作動ピン６７は、小鉄レバー９０のおしどり係合窓９６の第１延在部９６ａを第２回動方向Ｍ２の端部から第１回動方向Ｍ１の端部へ移動する。第１延在部９６ａは、第１回動方向Ｍ１と平行な方向に沿って延びているので、おしどり６０および小鉄レバー９０は互いに係合せず、小鉄レバー９０は変位しない。
なお、巻真５１が１段位置から０段位置に変位する際には、上述した動作とは逆の動作が行われる。
【００６３】
巻真５１が１段位置に位置する状態では、おしどりピン６６は、かんぬき押さえ８０の第３アーム８２Ｃの第２係合凹部８４ｂに入り込んでいる。これにより、巻真５１は、１段位置に位置決めされている。かんぬき７０の頭部７３は、つづみ車５２が小鉄車４５に噛み合うようにつづみ車５２を保持している。このため、１段位置にある巻真５１を回転させると、つづみ車５２が巻真５１と一体回転し、さらにつづみ車５２を介して小鉄車４５が回転する。そして、小鉄車４５が回転することにより、カレンダ修正機構１８を介して日車４０が回転する。これにより、日車４０を回転させて、日付を修正できる。なお、巻真５１が１段位置に位置する状態では、おしどり６０の小鉄レバー作動ピン６７は、小鉄レバー９０のおしどり係合窓９６の第１延在部９６ａにおける第１回動方向Ｍ１の端部に位置している。
【００６４】
巻真５１が１段位置から２段位置に変位する際、おしどり６０は、第１回動方向Ｍ１に回動する。すると、図９に示すように、おしどりピン６６は、かんぬき押さえ８０の第３アーム８２Ｃの第２係合凹部８４ｂから第２係合山部８５ｂを乗り越えて第３係合凹部８４ｃに入り込む。この際、おしどり６０にはかんぬき押さえ８０の第３アーム８２Ｃの復元力が作用して、使用者が巻真５１を引き出す際のクリック感が発生する。かんぬき７０は、つづみ車５２が小鉄車４５に噛み合うようにつづみ車５２を保持した状態を維持する。
【００６５】
また、おしどり６０が第１回動方向Ｍ１に回動すると、小鉄レバー作動ピン６７は、小鉄レバー９０のおしどり係合窓９６の第２延在部９６ｂを第２回動方向Ｍ２の端部から第１回動方向Ｍ１の端部へ移動する。第２延在部９６ｂが第２回動方向Ｍ２の端部から第１回動方向Ｍ１かつ第４回動方向Ｍ４に延びているので、小鉄レバー９０は、小鉄レバー作動ピン６７によって第３回動方向Ｍ３に押圧されて第３回動方向Ｍ３に回動する。この際、小鉄レバー９０は、日の裏中間第１歯車４６ａを第１日修正伝え車４８から離間させるとともに、時修正伝え車４７を日の裏車３７に接近させる。時修正伝え車４７は、巻真５１が２段位置に到達すると、日の裏車３７と噛み合う。
【００６６】
小鉄レバー作動ピン６７は、おしどり６０の第１回動方向Ｍ１に回動に伴っておしどり係合窓９６の第２延在部９６ｂを通過し終えると、第３延在部９６ｃを第２回動方向Ｍ２の端部から第１回動方向Ｍ１の端部へ移動する。第３延在部９６ｃは、第１回動方向Ｍ１と平行な方向に沿って延びているので、おしどり６０および小鉄レバー９０は互いに係合せず、小鉄レバー９０は回動しない。
なお、巻真５１が２段位置から１段位置に変位する際には、上述した動作とは逆の動作が行われる。
【００６７】
図１０に示すように、巻真５１が２段位置に位置する状態では、おしどりピン６６は、かんぬき押さえ８０の第３アーム８２Ｃの第３係合凹部８４ｃに入り込んでいる。これにより、巻真５１は、２段位置に位置決めされている。おしどり６０の小鉄レバー作動ピン６７は、小鉄レバー９０のおしどり係合窓９６の第３延在部９６ｃにおける第１回動方向Ｍ１の端部に位置している。かんぬき７０の頭部７３は、つづみ車５２が小鉄車４５に噛み合うようにつづみ車５２を保持している。このため、２段位置にある巻真５１を回転させると、つづみ車５２が巻真５１と一体回転し、さらにつづみ車５２を介して小鉄車４５が回転する。時修正伝え車４７は、日の裏車３７と噛み合っているので、小鉄車４５が回転することにより、時刻修正輪列１７を介して日の裏車３７、分車３６および筒車３８が回転する。これにより、時刻修正輪列１７は、巻真５１の回転を時針５および分針６に伝達して、時針５および分針６が指示する時分を修正できる。
【００６８】
続いて、てんぷ規正レバー１００の動作について説明する。
てんぷ規正レバー１００は、巻真５１の軸線Ｌ方向の変位に伴って、てんぷ３２に接触しててんぷ３２を規正する規正位置と、てんぷ３２から離間する退避位置と、の間を変位する。規正位置は、巻真５１の２段位置に対応している。退避位置は、巻真５１の１段位置および０段位置、ならびに１段位置と０段位置との間の位置に対応している。具体的なてんぷ規正レバー１００の動作を以下に説明する。
【００６９】
図８に示すように、てんぷ規正レバー１００のてんぷ規正レバー案内ピン１０４は、巻真５１が１段位置にある状態で、地板１１の規正レバー案内窓１１ｂにおける第４回動方向Ｍ４の端部に位置している。この状態では、てんぷ規正レバー１００は退避位置に位置している。
【００７０】
図９に示すように、巻真５１が１段位置から２段位置に向けて引き出されると、小鉄レバー９０が第３回動方向Ｍ３に回動する。小鉄レバー９０が第３回動方向Ｍ３に回動すると、てんぷ規正レバー１００には、小鉄レバー９０のてんぷ規正レバー作動ピン９７を介して第３回動方向Ｍ３の力が作用する。これにより、てんぷ規正レバー１００は、退避位置から規正位置に向けて変位を開始する。てんぷ規正レバー１００のてんぷ規正レバー案内ピン１０４は、地板１１の規正レバー案内窓１１ｂに案内されて、第４軸線Ｏ４から離間するように変位した後、第３回動方向Ｍ３、すなわちてんぷ規正レバー作動ピン９７の変位方向に沿って変位する。
【００７１】
てんぷ規正レバー案内ピン１０４は、第４軸線Ｏ４から離間するように変位する際、てんぷ規正レバー作動ピン９７に対して非平行に移動する。これにより、てんぷ規正レバー１００は、ばね体１０２が第４軸線Ｏ４から離間する方向の回転を伴いながら変位する。そして、てんぷ規正レバー１００のばね体１０２は、てんぷ３２のてん輪３３のリム部３３ａの外周面に径方向の外側から接触し、撓み変形を伴いながらてん輪３３のリム部３３ａを径方向の内側に押圧する。
【００７２】
その後、てんぷ規正レバー案内ピン１０４は、第３回動方向Ｍ３に沿って変位する際、てんぷ規正レバー作動ピン９７に対して平行に移動する。これにより、てんぷ規正レバー１００は、第３回動方向Ｍ３に沿って平行移動する。この際、てんぷ規正レバー１００のばね体１０２は、平面視でてん輪３３とばね体１０２との接触点と、第１軸線Ｏ１と、を通る直線の延在方向に直交する方向に沿って変位する。これにより、てんぷ規正レバー１００は、摩擦力によっててん輪３３を回転させる。ただし、てんぷ規正レバー案内ピン１０４の移動方向は、てんぷ規正レバー作動ピン９７の移動方向に対して完全に平行でなくてもよい。
【００７３】
なお、てんぷ規正レバー１００のばね体１０２は、上述したてんぷ規正レバー１００の平行移動時に、てん輪３３のリム部３３ａにさらに接近しながら変位してもよい。この場合、ばね体１０２は、てんぷ規正レバー１００の平行移動時に、初めててん輪３３に接触してもよい。
【００７４】
そして、図１０に示すように、巻真５１が２段位置に到達すると、小鉄レバー９０が第３回動方向Ｍ３に回動し終える。また、てんぷ規正レバー１００は、規正位置に到達する。てんぷ規正レバー１００が規正位置に到達すると、てんぷ規正レバー１００のばね体１０２は、てんぷ３２のてん輪３３に接触しててんぷ３２の動作を停止させる。このため、四番車２４からがんぎ中間車２５を介した脱進調速機１３へのトルクの伝達が規制され、四番車２４に取り付けられた秒針７の回転が停止する。
【００７５】
てんぷ規正レバー案内ピン１０４は、巻真５１が２段位置にある状態で、地板１１の規正レバー案内窓１１ｂにおける第３回動方向Ｍ３の端部に位置している。巻真５１が２段位置から１段位置に向けて押し込まれると、小鉄レバー９０が第４回動方向Ｍ４に回動する。小鉄レバー９０が第４回動方向Ｍ４に回動すると、てんぷ規正レバー１００には、てんぷ規正レバー作動ピン９７を介して第４回動方向Ｍ４の力が作用する。これにより、てんぷ規正レバー１００は、規正位置から退避位置に向けて変位を開始する。てんぷ規正レバー案内ピン１０４は、地板１１の規正レバー案内窓１１ｂに案内されて、第４方向Ｍ４、すなわちてんぷ規正レバー作動ピン９７の変位方向に沿って変位した後、第４軸線Ｏ４に接近するように変位する。
【００７６】
てんぷ規正レバー案内ピン１０４は、第４方向Ｍ４に沿って変位する際、てんぷ規正レバー作動ピン９７に対して平行に移動する。この際、てんぷ規正レバー１００のばね体１０２は、てん輪３３に接触しつつ平行移動し、摩擦力によっててん輪３３を回転させる。ただし、てんぷ規正レバー案内ピン１０４の移動方向は、てんぷ規正レバー作動ピン９７の移動方向に対して完全に平行でなくてもよい。これにより、停止していたてんぷ３２にトルクを付与し、脱進調速機１３を再始動させる。その後、てんぷ規正レバー１００は、てんぷ規正レバー案内ピン１０４が第４軸線Ｏ４に接近するように変位する際、ばね体１０２が第４軸線Ｏ４に接近する方向の回転を伴いながら変位する。すると、てんぷ規正レバー１００のばね体１０２は、撓み変形を解消しながら、てんぷ３２のてん輪３３から離間し、脱進調速機１３の再始動を完了する。
【００７７】
なお、てんぷ規正レバー１００のばね体１０２がてん輪３３に接触または離間するタイミングは、巻真５１が１段位置を離れ、２段位置に到達する前のタイミングが望ましく、おしどりピン６６がかんぬき押さえ８０の第３アーム８２Ｃの第２係合山部８５ｂの頂点に接触するタイミングと一致することがより望ましい。これにより、使用者が巻真５１を０段位置から１段位置に変位させた際に、巻真５１が１段位置を越えても、てんぷ規正レバー１００がてん輪３３に接触しててんぷ３２の動作が停止されることを抑制できる。また、使用者が２段位置にある巻真５１を回転操作する際に誤って１段位置に向けて巻真５１を押し込んでも、てんぷ規正レバー１００がてん輪３３から離間しててんぷ３２の動作が再開されることを抑制できる。
【００７８】
以上に説明したように、本実施形態のてんぷ規正機構１９は、小鉄レバー９０に係合し、小鉄レバー９０の回動に伴っててんぷ３２に接触する規正位置とてんぷ３２から離間する退避位置との間を変位可能に設けられたてんぷ規正レバー１００を備える。この構成によれば、てんぷ３２に接触するてんぷ規正レバー１００が小鉄レバー９０とは別部材として設けられる。このため、てんぷ規正レバー１００を小鉄レバー９０とは異なる動きでてんぷ３２に対して接触および離間させることが可能となる。よって、てんぷ３２の規正を解除する際に、てんぷ３２に運動を付与するようにてんぷ規正レバー１００を変位させることが容易となる。したがって、てんぷ３２の作動をスムーズに再始動させることができる。
【００７９】
てんぷ規正レバー案内ピン１０４は、てんぷ規正レバー１００がてんぷ３２に接触しつつ規正位置から退避位置に向けて変位する際に、地板１１の規正レバー案内窓１１ｂに案内されて、てんぷ規正レバー１００と小鉄レバー９０との係合部であるてんぷ規正レバー作動ピン９７の変位方向に沿って変位する。これにより、てんぷ規正レバー１００がてんぷ３２に接触した状態で、てんぷ規正レバー１００を略平行移動させることができる。仮にてんぷ規正レバーが小鉄レバーに設けられた構成では、てんぷ規正レバーの動作は所定の軸回りの揺動のみとなる。このため、てんぷ規正レバーをてんぷに十分に押し付け摩擦力を維持した状態でてんぷ回転を付与する方向にてんぷ規正レバーを変位させることは困難である。本実施形態によれば、てんぷ規正レバー１００が規正位置から退避位置に向けて変位する際に、てんぷ規正レバー１００の変位に追随するようにてんぷ３２を回転させて、てんぷ３２に運動を付与することができる。したがって、てんぷ３２の作動をスムーズに再始動させることができる。
【００８０】
てんぷ規正レバー１００は、地板１１に対して地板１１の厚さ方向でてんぷ３２と同じ側に配置されている。小鉄レバー９０のレバー本体９２は、地板１１に対して地板１１の厚さ方向でてんぷ規正レバー１００とは反対側に配置されている。仮に小鉄レバーの全体が地板に対して厚さ方向でてんぷ規正レバーと同じ側に配置される場合、てんぷに動力を伝達する表輪列の配置が小鉄レバーによって制限を受ける。本実施形態によれば、地板１１に対して表輪列１２とは反対側に小鉄レバー９０が配置されるので、表輪列１２の配置自由度の低下によるムーブメント１０の基本性能の低下（例えば、持続時間の低下や精度の悪化等）を抑制できる。
【００８１】
巻真５１が２段位置に位置し、てんぷ規正レバー１００が規正位置に位置する状態では、おしどり６０の小鉄レバー作動ピン６７が小鉄レバー９０のおしどり係合窓９６における第３延在部９６ｃの第１回動方向Ｍ１の端部に位置している。おしどり係合窓９６の第３延在部９６ｃは第１回動方向Ｍ１の端部から第２回動方向Ｍ２に延びているので、巻真５１が２段位置から１段位置に向けて変位する初期には、小鉄レバー作動ピン６７がおしどり係合窓９６に係合しない。このため、２段位置に位置する巻真５１を１段位置に向けて僅かに変位させても、小鉄レバー９０および小鉄レバー９０に係合するてんぷ規正レバー１００は変位しない。よって、てんぷ３２を規正した状態で誤操作等により巻真５１を変位させても、てんぷ３２の作動が意図せずに再始動することを抑制できる。
【００８２】
そして、本実施形態のムーブメント１０および時計１は、上述したてんぷ規正機構１９を備えるので、てんぷ３２の作動をスムーズに再始動させることができる。
【００８３】
［第２実施形態］
図１１は、第２実施形態に係るてんぷ規正機構を表側から見た斜視図である。
第１実施形態では、てんぷ規正レバー１００のばね体１０２は、てんぷ３２のてん輪３３のリム部３３ａに径方向の外側から接触する。これに対して第２実施形態は、てんぷ規正レバー１００Ａのばね体１０２Ａは、てんぷ３２のてん輪３３のリム部３３ａにてんぷ３２の軸方向から接触する点で、第１実施形態とは異なる。なお、以下で説明する以外の構成は、第１実施形態と同様である。
【００８４】
図１１に示すように、てんぷ規正レバー１００Ａは、第１実施形態のばね体１０２に替えて、ばね体１０２Ａを備える。ばね体１０２Ａは、薄板状に形成され、レバー基部１０１（図５参照）に接続している。本実施形態では、ばね体１０２Ａは、レバー基部１０１と一体成形されている。ばね体１０２Ａは、平面視で全体としてレバー基部１０１との接続部から直線状に延びている。ばね体１０２Ａは、平面視でてんぷ３２と第４軸線Ｏ４との間に配置されている。
【００８５】
図１２は、図１１のＸＩＩ−ＸＩＩ線における断面の一部を示す図である。
図１２に示すように、ばね体１０２Ａは、レバー基部１０１と接続し地板１１の面方向に沿って延びる基端部１０５と、基端部１０５の先端から地板１１の厚さ方向で地板１１から離間する側（表側）に延びる段差部１０６と、段差部１０６の先端から地板１１の面方向に沿って延びるてんぷ規正部１０７と、を備える。ばね体１０２Ａは、地板１１の面方向から見ててんぷ３２のてん輪３３のリム部３３ａよりも地板１１側に配置されている。
【００８６】
地板１１には、てんぷ規正レバー１００Ａのばね体１０２Ａの基端部１０５が摺接する摺接面１１ｃと、てんぷ規正レバー１００Ａのばね体１０２Ａの段差部１０６に対向する段差面１１ｄと、が形成されている。摺接面１１ｃは、地板１１の面方向に沿って広がっている。段差面１１ｄは、摺接面１１ｃから表側に傾斜して延び、地板１１の厚さ方向に対して傾斜した方向を向いている。本実施形態では、段差面１１ｄは、地板１１の厚さ方向、かつ表側を向いている。段差面１１ｄは、ばね体１０２Ａの段差部１０６よりも地板１１の面方向に対して小さい傾斜角で形成されている。段差面１１ｄは、平面視でばね体１０２Ａのてんぷ規正部１０７に重なるように配置されている（図１１参照）。段差面１１ｄの高さは、ばね体１０２Ａの段差部１０６の高さよりも低くなっている。
【００８７】
次に、本実施形態のてんぷ規正レバー１００Ａの動作について、図１３から図１５を参照して説明する。なお、おしどり６０、かんぬき７０および小鉄レバー９０の動作については第１実施形態と同様である。また、てんぷ規正レバー１００Ａのうちレバー基部１０１の動作についても第１実施形態と同様である。
【００８８】
図１３から図１５は、第２実施形態に係るてんぷ規正機構の動作説明図である。
図１３に示すように、巻真５１が１段位置に位置する状態では、てんぷ規正レバー１００Ａは退避位置に位置している。具体的には、ばね体１０２Ａは、平面視でてんぷ３２と第４軸線Ｏ４との間に位置している。
【００８９】
図１１および図１４に示すように、巻真５１が１段位置から２段位置に向けて引き出される際に、てんぷ規正レバー１００Ａは、ばね体１０２Ａが第４軸線Ｏ４から離間するように回転する。この際、ばね体１０２Ａの段差部１０６は地板１１の段差面１１ｄから離間した状態を維持し、ばね体１０２Ａの基端部１０５は地板１１の摺接面１１ｃ上を摺動する。そして、ばね体１０２Ａのてんぷ規正部１０７は、平面視でてん輪３３のリム部３３ａに重なる位置まで変位する。
【００９０】
その後、図１１および図１５に示すように、てんぷ規正レバー１００Ａが第３回動方向Ｍ３に沿って平行移動すると、ばね体１０２Ａの段差部１０６の下端縁が地板１１の段差面１１ｄを摺接して乗り上げる。これにより、ばね体１０２Ａは、段差面１１ｄによって表側に案内され、基端部１０５を撓ませながらてんぷ規正部１０７を表側に変位させ、てんぷ規正部１０７をてん輪３３のリム部３３ａに接触させる。この際、てんぷ規正部１０７は、摩擦力によっててん輪３３を回転させる。そして、巻真５１が２段位置に到達し、てんぷ規正レバー１００Ａが停止すると、ばね体１０２Ａは、てん輪３３に接触しててんぷ３２の動作を停止させる。
【００９１】
巻真５１が２段位置から１段位置に向けて押し込まれると、てんぷ規正レバー１００Ａのばね体１０２Ａは、てん輪３３に接触しつつ平行移動し、摩擦力によっててん輪３３を回転させる。これにより、停止していたてんぷ３２にトルクを付与し、脱進調速機１３を再始動させる。その後、てんぷ規正レバー１００Ａが退避位置に向けて変位すると、ばね体１０２Ａは基端部１０５の撓みを解消しながらてん輪３３から離間し、脱進調速機１３の再始動を完了する。
【００９２】
以上に説明したように、本実施形態のてんぷ規正機構１９は、第１実施形態と同様の作用効果に加えて、以下の作用効果を奏する。
【００９３】
てんぷ規正レバー１００Ａは、退避位置から接触位置に変位する過程で、地板１１の段差に摺接して表側に案内され、てんぷ３２に裏側から接触する。この構成によれば、てんぷ規正レバー１００Ａの動作時の軌跡が地板１１の厚さ方向から見ててんぷ３２に重なるので、てんぷ規正レバー１００Ａの周囲の部品の配置自由度の向上を図ることができる。また、てんぷ規正レバー１００Ａを地板１１の段差によって表側に案内するので、新たな別部品を設けることなくてんぷ規正レバー１００Ａを地板１１の厚さ方向に変位させることが可能な構造が得られる。
【００９４】
なお、本実施形態では、ばね体１０２Ａの段差部１０６の下端縁を地板１１の段差面１１ｄに摺接させることにより、ばね体１０２Ａを地板１１の厚さ方向に案内している。しかしながら、ばね体を地板の厚さ方向に案内する構成はこれに限定されない。例えば、地板の段差面をばね体１０２Ａの段差部１０６よりも地板１１の面方向に対して大きい傾斜角で形成し、段差面の上端縁をばね体１０２Ａの段差部１０６の下面が摺接するように構成されていてもよい。また、ばね体の先端を地板の段差面に摺接させてばね体の先端を地板の厚さ方向に案内するように構成されていてもよい。
【００９５】
なお、本発明は、図面を参照して説明した上述の実施形態に限定されるものではなく、その技術的範囲において様々な変形例が考えられる。
例えば、上記実施形態では、小鉄レバー９０が小鉄車４５を支持しているが、小鉄車は地板に突設された支軸に直接支持されていてもよい。すなわち、小鉄レバーは、時刻修正輪列の少なくとも一部の歯車を支持するレバー部材であればよい。
【００９６】
また、上記実施形態では、てんぷ規正レバー１００のてんぷ規正レバー案内ピン１０４が地板１１の規正レバー案内窓１１ｂに案内されているが、地板にピンを設けるとともに、てんぷ規正レバーに地板のピンが挿入される案内窓（被案内部）が形成されていてもよい。
【００９７】
その他、本発明の趣旨を逸脱しない範囲で、上記した実施の形態における構成要素を周知の構成要素に置き換えることは適宜可能であり、また、上述した各実施形態を適宜組み合わせてもよい。
【符号の説明】
【００９８】
１…時計  １０…ムーブメント（時計用ムーブメント）  １１…地板  １９…てんぷ規正機構  ４５…小鉄車（伝達車）  ４６…日の裏中間車（伝達車）  ４７…時刻修正伝え車（伝達車）  ５１…巻真  ６０…おしどり  ９０…小鉄レバー  １００，１００Ａ…てんぷ規正レバー  １０４…てんぷ規正レバー案内ピン（被案内部）
【要約】
【課題】てんぷの作動をスムーズに再始動させることができるてんぷ規正機構を提供する。
【解決手段】てんぷ規正機構１９は、地板に支持された巻真５１と、巻真５１の軸方向の変位に伴って地板に対して回動するおしどり６０と、おしどり６０に係合し、おしどり６０の回動に伴って回動する小鉄レバー９０と、小鉄レバー９０に支持され、小鉄レバー９０が所定位置に位置する場合に巻真５１の回転を指針に伝達する小鉄車４５と、小鉄レバー９０に係合し、小鉄レバー９０の回動に伴っててんぷに接触する規正位置とてんぷから離間する退避位置との間を変位可能に設けられたてんぷ規正レバー１００と、を備える。
【選択図】図４【図１】
0006751215.tif 000002
【図２】
0006751215.tif 000003
【図３】
0006751215.tif 000004
【図４】
0006751215.tif 000005
【図５】
0006751215.tif 000006
【図６】
0006751215.tif 000007
【図７】
0006751215.tif 000008
【図８】
0006751215.tif 000009
【図９】
0006751215.tif 000010
【図１０】
0006751215.tif 000011
【図１１】
0006751215.tif 000012
【図１２】
0006751215.tif 000013
【図１３】
0006751215.tif 000014
【図１４】
0006751215.tif 000015
【図１５】
0006751215.tif 000016